(57)【要約】【課題】電線への装着及び電線からの離脱の作業性を向上させることができ、安全に装着及び離脱を行うことができる電線表示装置を提供する。【解決手段】電線５０に装着され、電線５０の種類を表示する電線表示装置である。開口部２を有するループ状の係合部１と、離脱時に挟着具２５にて把持される環状部６と、電線５０の種類を表示する表示部８とを備える。係合部１は、相対向する内面の間隔寸法が奥部から順次小となる内ガイド部９を有するとともに、自由状態において開口部２の開口隙間が電線５０の外径寸法よりも小さく設定され、外方に向かって相対向する壁面の間隔が順次拡大した外ガイド部１０が形成される。装着時には、電線５０の係合部内への係合を許容する弾性変形を可能とし、離脱時には、環状部６を介して電線５０の係合部１からの抜けを許容する弾性変形を可能とした。【選択図】図１
2011078206.tif 000002
【特許請求の範囲】
【請求項１】
遠隔操作により電線に直接装着されて、この電線の種類を表示する電線表示装置において、
電線が係合し、開口部を有するループを備えた係合部と、
前記係合部から連設されて、電線からの離脱時に挟着具にて把持される操作用の環状部と、
前記係合部から連設されて、電線の種類を表示する表示部とを備え、
前記係合部は、相対向する内面の間隔寸法が奥部から順次小となる内ガイド部を有するとともに、自由状態において開口部の開口隙間が電線の外径寸法よりも小さく設定され、かつ、前記係合部の開口部から反開口部側に向かって相対向する壁面の間隔が順次拡大する外ガイド部が形成され、
電線への装着時には、外ガイド部及び開口部を介した電線の前記ループ内への係合を許容する弾性変形を可能とし、離脱時には、挟着具にて環状部を介して離脱力を付与して、内ガイド部及び開口部を介した電線の前記ループからの抜けを許容する弾性変形を可能としたことを特徴とする電線表示装置。
【請求項２】
前記係合部は、電線への装着時に挟着具にて把持される把持部を備え、この把持部に滑り止め部材を設けたことを特徴とする請求項１の電線表示装置。
【請求項３】
前記係合部は、第１直線部と、この第１直線部から連設される円弧部と、この円弧部から連設され、反円弧部側に向かって前記第１直線部に順次近接する第２直線部と、この第２直線部から連設され、反円弧部側に向かって前記第１直線部から順次離間する第３直線部とからなるＲ字状であり、前記第２直線部を内ガイド部とし、第３直線部を外ガイド部としたことを特徴とする請求項１又は請求項２の電線表示装置。
【請求項４】
前記ループの内側のうち、少なくとも電線への装着状態で電線が係合する部位に滑り止め部材を設けたことを特徴とする請求項１〜請求項３のいずれか１項の電線表示装置。
【請求項５】
前記ループの内側に突起部を設けたことを特徴とする請求項１〜請求項４のいずれか１項の電線表示装置。
【発明の詳細な説明】
【技術分野】
【０００１】
本発明は、電線に装着され、その電線の種類を外観で識別するために用いられる電線表示装置に関する。
【背景技術】
【０００２】
高圧電線等の電線は、位相が異なった３つの電線に種別されている。このような電線は、外観上その殆どが同一色であるため、電線の各位相を外観で識別することは困難である。このため、電線表示装置を電線に装着して、電線の位相を識別するための表示を行っていた。すなわち、電線表示装置に色を付して、その色によって電線の各位相を識別している（特許文献１）。
【０００３】
特許文献１の電線表示装置は、一対の半割り筒体を備え、これら半割り筒体の内側に、その軸線方向に沿って電線を挿通するための挿通孔を設けている。また、半割り筒体には、夫々保持部が連設されている。そして、この保持部を絶縁ヤットコ等の挟着具で操作することにより、半割り筒体を開口又は閉口させて、電線表示装置を電線へ装着又は離脱させる。
【０００４】
すなわち、電線表示装置を装着する際には、挟着具で保持部を保持して、夫々の半割り筒体が相互に離間するようにして開口させ、挿通孔に電線を挿通させた後、半割り筒体が相互に近接するようにして閉口させていた。また、電線から離脱させる際は、挟着具で保持部を保持して、夫々の半割り筒体が相互に離間するようにして開口させて、電線から離脱させていた。
【先行技術文献】
【特許文献】
【０００５】
【特許文献１】特開２００１−２０４１１４号公報
【発明の概要】
【発明が解決しようとする課題】
【０００６】
特許文献１のタイプの電線表示装置は、直接活線工法にて電線に装着及び離脱する際に適した装置である。すなわち、電線に直接触れて作業を行う直接活線作業工法では、電線に防具（例えば、絶縁防護管、碍子カバー、隔離板、ゴムシート）を取り付ける必要がある。このため、開口部を大きくすることができる電線表示装置が必要であった。これに対して、間接活線工法は、前記のような防具は必要ではなく、絶縁ヤットコ等の絶縁操作棒の先端部に装着した間接活線工具を用いて遠隔操作する。この間接活線工法にて電線表示装置を電線に装着及び離脱する場合、間接活線工具を使用して電線表示装置の保持部を挟んで開口させる作業が非常に難しい。このため、作業性が非常に悪く、また装置が落下する危険性がある。特に、離脱時は、電線表示装置が装着された電線が揺れることがあり、保持部を挟んで操作するのが難しいという問題があった。
【０００７】
本発明は、上記課題に鑑みて、電線への装着及び電線からの離脱の作業性を向上させることができ、安全に装着及び離脱を行うことができる電線表示装置を提供する。
【課題を解決するための手段】
【０００８】
本発明の電線表示装置は、遠隔操作により電線に直接装着されて、この電線の種類を表示する電線表示装置において、電線が係合し、開口部を有するループを備えた係合部と、前記係合部から連設されて、電線からの離脱時に挟着具にて把持される操作用の環状部と、前記係合部から連設されて、電線の種類を表示する表示部とを備え、前記係合部は、相対向する内面の間隔寸法が奥部から順次小となる内ガイド部を有するとともに、自由状態において開口部の開口隙間が電線の外径寸法よりも小さく設定され、かつ、前記係合部の開口部から反開口部側に向かって相対向する壁面の間隔が順次拡大する外ガイド部が形成され、電線への装着時には、外ガイド部及び開口部を介した電線の前記ループ内への係合を許容する弾性変形を可能とし、離脱時には、挟着具にて環状部を介して離脱力を付与して、内ガイド部及び開口部を介した電線の前記ループからの抜けを許容する弾性変形を可能としたものである。
【０００９】
本発明の電線表示装置によれば、係合部に環状部が連設されているので、遠隔操作により電線から離脱する際、挟着具が環状部を把持した状態で、電線が開口部の外側へ移動する方向に環状部を引張って、係合部に離脱力を付与する。これにより、開口部の開口隙間が大きくなるように内ガイド部が弾性変形し、ループ内に係合されている電線が、開口部を乗り越えてループから抜ける。また、電線へ装着する際には、挟着具が係合部を把持した状態で、電線が開口部の内側へ移動する方向に係合部を引張る。これにより、開口部の開口隙間が大きくなるように外ガイド部が弾性変形し、電線が開口部を乗り越えてループ内へ係合する。
【００１０】
前記係合部は、電線への装着時に挟着具にて把持される把持部を備え、この把持部に滑り止め部材を設けることができる。これにより、装着時において、挟着具が係合部を強固に把持することができる。
【００１１】
前記係合部は、第１直線部と、この第１直線部から連設される円弧部と、この円弧部から連設され、反円弧部側に向かって前記第１直線部に順次近接する第２直線部と、この第２直線部から連設され、反円弧部側に向かって前記第１直線部から順次離間する第３直線部とからなるＲ字状であり、前記第２直線部を内ガイド部とし、第３直線部を外ガイド部とすることができる。これにより、電線は、第１直線部に沿って滑らかに開口部を乗り越えることができる。
【００１２】
前記ループの内側のうち、少なくとも電線への装着状態で電線が係合する部位に滑り止め部材を設けることができる。これにより、電線の揺れや高低差が発生しても、電線が延びる方向に沿って移動するのを抑えることができる。
【００１３】
前記ループの内側に突起部を設けることができる。これにより、電線がループに係合したとき、電線が突起部に引っ掛かって固定され、電線に上下方向の揺れが生じても、係合部の上下方向の移動を抑えることができる。
【発明の効果】
【００１４】
本発明の電線表示装置は、遠隔操作により電線から離脱する際に、環状部を把持して引張るだけで電線がループから抜けるようにしているため、係合部を把持して開口させる必要がなくなって、電線からの離脱時の作業の効率を向上することができる。しかも、地上に落下するおそれも少なくなり、安全である。また、装着する際に、電線をループに係合させるだけでよいため、装着作業の効率も向上することができる。
【００１５】
係合部は把持部を備え、この把持部に滑り止め部材を設けると、装着時における地上への落下を防止することができて、安全に装着することができる。
【００１６】
前記係合部をＲ字状とすると、電線は、第１直線部に沿って滑らかに開口部を乗り越えるため、電線をループへ係合する際、及び離脱する際に付与する力を少なくすることができる。これにより、一層作業性の向上を図ることができる。
【００１７】
前記ループの内側に滑り止め部材を設けると、電線が延びる方向に沿って移動するのを抑えることができて、離脱させる際に作業位置を変更する必要がなく、作業性を一層向上させることができる。
【００１８】
前記ループの内側に突起部を設けると、電線がループに収容されたとき、電線が突起部に引っ掛かって係合部の上下方向の移動を抑えることができ、電線を傷付けることがなく、また、落下を防止することができ、安全性に優れたものとなる。
【図面の簡単な説明】
【００１９】
【図１】本発明の電線表示装置の正面図である。
【図２】本発明の電線表示装置の斜視図である。
【図３】前記図１の電線表示装置の電線への装着方法を示す工程図である。
【図４】前記図１の電線表示装置の電線からの離脱方法を示す工程図である。
【発明を実施するための形態】
【００２０】
以下本発明の電線表示装置の実施の形態を図１〜図４に基づいて説明する。
【００２１】
この電線表示装置は、遠隔操作により電線５０に直接装着されて、電線５０の種類を表示するものである。
【００２２】
電線表示装置は、図１に示すように、開口部２を有するループ１５を備えた係合部１と、係合部１から連設されて、電線５０からの離脱時に挟着具２５（図３及び図４参照）にて把持される操作用の環状部６と、係合部１から連設されて、電線５０の種類を表示する表示部８とを備えている。
【００２３】
係合部１は、第１直線部３と、この第１直線部３から連設される円弧部５と、この円弧部５から連設され、反円弧部側に向かって第１直線部３に順次近接する第２直線部７と、第２直線部７から連設され、反円弧部側に向かって第１直線部３から順次離間する第３直線部４とからなるＲ字状となっている。すなわち、係合部１のループ１５は、相対向する内面の間隔寸法が奥部（反開口部側）から開口部側へ向かって順次小となっている。また、ループ１５の外側は、相対向する壁面の間隔が、開口部から反開口部側へ向かって順次拡大している。前記第２直線部７を内ガイド部９とするとともに、第３直線部を外ガイド部１０としている。
【００２４】
第２直線部７及び第３直線部４の境界は、略９０°に折れ曲がる折曲部となっており、この折曲部と第１直線部３との間には隙間を有する開口部２が形成されている。この開口部２の開口隙間は、自由状態において電線５０の外径寸法よりも小さく設定されている。
【００２５】
これにより、電線５０へ装着する際には、開口部２の開口隙間が大きくなるように外ガイド部１０が弾性変形して、外ガイド部１０及び開口部２を介して電線５０がループ内へ係合する。また、離脱する際には、開口部２の開口隙間が大きくなるように内ガイド部９が弾性変形して、内ガイド部９及び開口部２を介して電線５０がループ１５から抜ける。
【００２６】
円弧部５の内側は、電線５０が装着された状態で電線５０が係合する部位となり、この部位に、ラバー材からなる滑り止め部材１２が設けられている。また、第１直線部３の内側には、係合部１の内側に突出する突起部１１を２つ設けている。この突起部１１は、後述する固定部材１７を第１直線部３に固着するリベットにて構成している。
【００２７】
係合部１の第１直線部３の先端部は、電線５０への装着時に挟着具２５にて把持される把持部１３となる。この把持部１３には、ラバー材からなる滑り止め部材１４が設けられている。
【００２８】
環状部６は、固定部材１７を介して係合部１の第１直線部３に取り付けられている。すなわち、固定部材（ロープ材）１７が折り返された状態で、突起部（リベット）１１にて第１直線部３に固定されている。そして、ロープ材１７の折り返し部に、リング体１６からなる環状部６が挿通されている。この場合、環状部６は、第１直線部３にほぼ沿った方向に延びていても、第１直線部３と所定角度をなすように延びていてもよい。
【００２９】
表示部８は、電線５０の種類を色表示する色用紙２０を備えている。すなわち、図２に示すように、把持部１３の下端部には貫通孔１８が設けられるとともに、色用紙２０に貫通孔２１が設けられ、夫々の貫通孔１８、２１にロープ材１９が挿通されることにより、ロープ材１９を介して色用紙２０が係合部１に取り付けられている。本実施形態では、係合部１の色（赤色）と、色用紙２０の色（赤色）とを同一色としている。
【００３０】
次に、本発明の電線表示装置の電線５０への装着方法、及び電線５０からの離脱方法を説明する。電線表示装置を挟着する挟着具２５としては、例えば公知公用のヤットコからなり、図３に示すように２つの挟着片３０ａ、３０ｂが角変位自在に連結されている。挟着片３０ａ、３０ｂは、電気絶縁性を有する操作棒３１ａ、３１ｂに固定されている。一対の挟着片３０ａ、３０ｂが近接して閉状態となることにより挟着状態となり、一対の挟着片３０ａ、３０ｂが離反して開状態となることにより挟着状態を解除するものである。
【００３１】
まず、作業者は、挟着具２５を操作することにより、挟着具２５にて把持部１３を把持する。この場合、挟着片３０ａ、３０ｂは、把持部１３の滑り止め部材１４を把持するのが好ましい。この状態で、図３（ａ）に示すように、外ガイド部１０と第１直線部３とで電線５０が挟まれるように電線表示装置を配置して、矢印Ａのように下方に電線表示装置を引張る。これにより、電線５０が開口部２に対応して、矢印Ｂのように外ガイド部１０が第１直線部３と離反する方向に弾性変形して、開口部２の開口隙間が僅かに大きくなる。その後、図３（ｂ）に示すように、電線５０が第１直線部３に沿って、開口部２を乗り越えてループ内へ係合する。電線５０が開口部２を通過すると、外ガイド部１０は元の位置に戻って、電線５０の開口部２からの抜けを規制することができる。このようにして、本発明の電線表示装置を装着することができる。
【００３２】
電線表示装置が電線５０に装着された状態では、図３（ｃ）のような状態で、表示部８の色により電線５０の種類を表示している。電線５０がループ１５に係合した状態では、電線５０が突起部１１に引っ掛かって固定され、電線５０に上下方向の揺れが生じても、係合部１の上下方向の移動を抑えることができる。また、電線５０は、滑り止め部材１２に当接していることから、電線５０の揺れや高低差が発生しても、電線５０が延びる方向に沿って係合部１が移動するのを抑えることができる。
【００３３】
この電線表示装置を電線５０から離脱させる場合には、作業者は、挟着具２５を操作することにより、挟着具２５にて環状部６のリング体１６を把持する。この状態で、図４（ａ）の矢印Ｃのように上方に電線表示装置を引張って、係合部１に離脱力を付与する。これにより、電線５０が開口部２に対応して、矢印Ｄのように内ガイド部９が第１直線部３と離反する方向に弾性変形して、開口部２の開口隙間が僅かに大きくなる。その後、図４（ｂ）に示すように、電線５０が第１直線部３に沿って、開口部２を乗り越えて電線５０が係合部１から抜ける。
【００３４】
このように、本発明の電線表示装置によれば、係合部１に環状部６が連設されているので、遠隔操作により電線５０から離脱する際、挟着具２５が環状部６を把持した状態で、電線５０が開口部２の外側へ移動する方向（本実施形態では上方）に環状部６を引張って、係合部１に離脱力を付与する。これにより、開口部１の開口隙間が大きくなるように内ガイド部９が弾性変形し、ループ内に係合されている電線５０が、開口部２を乗り越えてループ１５から抜ける。従って、係合部１を把持して開口させる必要がなくなって、電線５０からの離脱時の作業の効率を向上することができる。しかも、地上に落下するおそれも少なくなり、安全である。
【００３５】
また、電線５０へ装着する際には、挟着具２５が係合部１を把持した状態で、電線５０が開口部２の内側へ移動する方向（本実施形態では下方）に係合部１を引張る。これにより、開口部２の開口隙間が大きくなるように外ガイド部１０が弾性変形し、電線５０が開口部２を乗り越えてループ内へ係合する。従って、電線５０をループ１５に係合させるだけでよいため、装着作業の効率も向上することができる。
【００３６】
係合部１は、電線５０への装着時に挟着具２５にて把持される把持部１３を備え、この把持部１３に滑り止め部材１４を設けているため、装着時において、挟着具２５が係合部１を強固に把持することができ、装着時における地上への落下を防止することができて、安全に装着することができる。
【００３７】
係合部１は、第１直線部３と、円弧部５と、第２直線部７と、第３直線部４とからなるＲ字状であり、前記第２直線部７を内ガイド部９とし、第３直線部４を外ガイド部１０としているので、装着時及び離脱時に、電線５０は、第１直線部３に沿って滑らかに開口部２を乗り越えることができる。これにより、作業者は電線５０をループ１５へ係合する際、及び離脱する際に付与する力を少なくすることができて、一層作業性の向上を図ることができる。
【００３８】
ループ１５の内側に滑り止め部材１２を設けているため、電線５０の揺れや高低差が発生しても、電線５０が延びる方向に沿って移動するのを抑えることができる。これにより、離脱させる際に作業位置を変更する必要がなく、作業性を一層向上させることができる。
【００３９】
ループ１５の内側に突起部１１を設けているため、電線５０がループ１５に係合したとき、電線５０が突起部１１に引っ掛かって固定され、電線５０に上下方向の揺れが生じても、係合部１の上下方向の移動を抑えることができる。これにより、電線５０を傷付けることがなく、また、落下を防止することができ、安全性に優れたものとなる。
【００４０】
以上、本発明の実施形態につき説明したが、本発明は前記実施形態に限定されることなく種々の変形が可能であって、例えば、ループ１５や環状部６の形状は環状であればよく、円環状に限られない。表示部８は、色により電線５０の種類を表示するものであったが、表示部８を立体的なものとして、表示部の形状によって電線５０の種類を判別するものであってもよい。第２直線部７や第３直線部４の第１直線部３に対する傾斜角度は、種々のものとでき、また、その長さも任意に設定することができる。滑り止め部材１２は、ループ１５の内側の全域にわたって設けてもよく、また、ループ１５の内側に断続的に設けてもよい。突起部１１の数は、２個に限られず任意の数とすることができる。実施形態では、ループ１５を電線５０の上方に配置した後、係合部１を下方に引張ったが、ループ１５を電線５０に対して水平方向に配置した後、係合部１を水平方向に引張ったり、ループ１５を斜め上方に配置した後、係合部１を斜め下方に引張る等できる。すなわち、装着時において、電線５０に対するループ１５の配置及び係合部１の引張り方向は任意のものとすることができる。
【符号の説明】
【００４１】
１      係合部
２      開口部
３      第１直線部
４      第３直線部
５      円弧部
６      環状部
７      第２直線部
８      表示部
９      内ガイド部
１０    外ガイド部
１１    突起部
１２    滑り止め部材
１３    把持部
１４    滑り止め部材
１５    ループ
２５    挟着具
５０    電線
【図１】
2011078206.tif 000003
【図２】
2011078206.tif 000004
【図３】
2011078206.tif 000005
【図４】
2011078206.tif 000006